(57)【要約】【課題】パネルの電極引き出し線間での絶縁破壊の発生を抑制し、もって良好な画像表示が可能なパネルを実現することを目的とする。【解決手段】薄型ディスプレイパネルは、対向する、２枚の基板の周辺部を封着層５０にて接合した構造である。その２枚の基板の一方には、隣接して配設された複数の電極３２を備える。電極３２における引き出し５１は、屈曲部５１ａ，５１ｂを有し、その屈曲部のうち、配設ピッチが最も狭くなっている箇所における屈曲部５１ａを覆って封着層５０が配設されている。【選択図】図５
2011186205.tif 000002
【特許請求の範囲】
【請求項１】
対向する、２枚の基板の周辺部を封着層にて接合した構造を有するディスプレイパネルであって、
前記２枚の基板のいずれか一方には、画像表示領域から外周部にわたって、互いに隣接して配設されたライン状の電極を複数備え、
前記複数の電極は各々屈曲部を有し、
前記屈曲部のうち、配設ピッチが最も狭くなっている箇所における屈曲部を覆って前記封着層が配設されている、
ディスプレイパネル。
【請求項２】
前記封着層は、低融点ガラスからなる、
請求項１記載のディスプレイパネル。
【請求項３】
前記電極は、
前記屈曲部にガラス材料が含まれている、
請求項２記載のディスプレイパネル。
【請求項４】
前記複数の電極は、
パネル中央部における配設ピッチと比べて、
前記屈曲部よりも外側部分における配設ピッチが大きい、
請求項１記載のディスプレイパネル。
【請求項５】
前記複数の電極は、
電極の一方の端部に前記屈曲部が形成された第１電極群と、
電極の他方の端部に前記屈曲部が形成された第２電極群とが、
交互に配列されてなる、
請求項４記載のディスプレイパネル。
【請求項６】
前記ディスプレイパネルがプラズマディスプレイパネルであって、
前記電極がアドレス電極である請求項１記載のディスプレイパネル。
【発明の詳細な説明】
【技術分野】
【０００１】
本発明は、プラズマディスプレイパネル（以下、ＰＤＰと記す）など、薄型ディスプレイパネル(以下、パネルとも記す)に関するものである。
【背景技術】
【０００２】
パネルの一例であるＰＤＰは、前面基板と背面基板との一対のパネル基板を両基板間に放電空間が形成されるように対向配置し、放電空間に希ガスを封入し、周辺部を封着した構成である。
前面基板上には走査電極と維持電極とからなる表示電極が複数形成され、背面基板上には表示電極と交差するほうにアドレス電極が複数形成されている。さらにこれら表示電極とアドレス電極の立体交差部に、単位発光領域である放電セルが形成される。このように構成されたＰＤＰの表示電極とアドレス電極とに所定の駆動電圧を印加して、各放電セルで選択的に放電を開始させることで、各放電セルに形成された蛍光体層がこの放電によって発光し、これによってＰＤＰから所望の画像が表示される。
【０００３】
また、上記表示電極、アドレス電極などＰＤＰの各電極は、それぞれに設けられた引き出し電極によって、各電極が形成された、各々の基板の周辺部にまで引き出されている。そして基板周辺部において引き出し電極は、その端部が、ＦＰＣ（Ｆｌｅｘｉｂｌｅ  Ｐｒｉｎｔｅｄ  Ｃｉｒｃｕｉｔｓ：フレキシブルプリント基板）と、電気的に接続するための電極端子部を形成している(例えば特許文献１参照)。
【０００４】
以上の構成により、回路基板からの駆動電圧を、ＦＰＣを介してＰＤＰの各電極に印加することができる。
【先行技術文献】
【特許文献】
【０００５】
【特許文献１】特許第4333086号公報
【発明の概要】
【発明が解決しようとする課題】
【０００６】
ところでＰＤＰにおいては、例えば図９に示すように、ＰＤＰの電極（走査電極、維持電極、アドレス電極）１３２の配列ピッチとＦＰＣ（図示せず）の配列ピッチとは異なる場合が多い。この場合、電極１３２と引き出し電極１５１の端部である電極端子部１４２との配列ピッチも異なるため、引き出し電極１５１は屈曲部１５１ａ，１５１ｂを有する構成となっている。
【０００７】
上記のように引き出し電極１５１に屈曲部１５１ａ，１５１ｂが存在すると、隣接電極の引き出し電極１５１の間で絶縁不良が発生してしまい、その結果、良好な画像の表示に支障が生じてしまう場合がある。
このような引き出し電極１５１での、絶縁不良の発生は、解像度が高解像度になった場合、例えば、ＦＨＤ(水平画素数×垂直画素数:１９２０×１０８０の解像度)よりさらに高精細な４Ｋ２Ｋ(同、４０００前後×２０００前後の解像度)や８Ｋ４Ｋ(同、８０００前後×４０００前後の解像度)といった解像度の場合に顕著である。
【０００８】
なお、上述したような引き出し電極１５１での、隣接電極間の絶縁不良は、ＰＤＰに限ったものではなく、引き出し電極に、上述した屈曲部１５１ａ，１５１ｂのような箇所があるものであれば同様に発生する。
本発明は、上記課題を解決するためになされたもので、パネルの引き出し電極での、隣接電極間絶縁不良の発生を抑制し、もって良好な画像表示が可能なパネルを実現することを目的とする。
【課題を解決するための手段】
【０００９】
上記目的を実現するために、本発明の薄型ディスプレイパネルでは、対向する、２枚の基板の周辺部を封着層にて接合した構造の薄型ディスプレイパネルであって、前記２枚の基板の少なくとも一方には、画像表示領域から外周部にわたって、互いに隣接して配設されたライン状の電極が複数設けられ、前記複数の電極はそれぞれ屈曲部を有し、前記屈曲部のうち、配設ピッチが最も狭くなっている箇所における屈曲部を覆って前記封着層が配設されている。
【発明の効果】
【００１０】
本発明にかかるディスプレイパネルは、対向する、２枚の基板の周辺部を封着層にて接合した構造で、２枚の基板のいずれか一方に、画像表示領域から外周部にわたって、互いに隣接して配設されたライン状の電極が複数設けられ、複数の電極が各々屈曲部を有したものであって、屈曲部のうち、配設ピッチが最も狭くなっている箇所における屈曲部を覆って封着層を配設することとしたので、隣接電極間における絶縁不良の発生を抑制でき、もって良好な画像表示が可能なパネルを実現することができる。
すなわち、一般に、パネルに配設された引き出し電極が屈曲部を有する場合、隣接電極との間に電圧がかかると、屈曲部のうち、配設ピッチが最も狭くなっている箇所では大きな電界がかかるので、この箇所に水分などが付着しているとマイグレーションが発生して絶縁不良が生じやすい。これに対して、本発明では、その絶縁不良が発生しやすい箇所を覆って封着層が配設されているので、この箇所に水分などが付着することがなく、したがって、パネルの引き出し電極での、絶縁不良の発生を抑制できる。よって良好な画像表示が可能となる。
上記本発明において、封着層を低融点ガラスで形成すれば、封着層と電極との密着性が特に良好となり、電極における屈曲部にガラス材料が含まれていれば、さらに封着層と電極との密着性が良好になる。したがって、マイグレーションの発生を抑え、絶縁不良を抑える効果がより優れたものとなる。
また、複数の電極の配設ピッチが、パネル中央部における配設ピッチと比べて、屈曲部よりも外側部分における配設ピッチが大きいディスプレイパネルにおいては、特に、隣接する電極屈曲部の間に大きな強電界がかかりやすいので、本発明を適用することで顕著な効果が得られる。
このタイプのディスプレイでは、複数の電極を、電極の一方の端部に屈曲部が形成された第１電極群と、電極の他方の端部に屈曲部が形成された第２電極群とを、交互に配列した構成とすれば、基板上に引き出し電極を容易に配置することができる。
また、プラズマディスプレイパネルのアドレス電極においては、特に隣接する電極間に強電界がかかり、マイグレーションが発生しやすいので、本発明をアドレス電極に対して適用すれば得られる効果も大きい。
【図面の簡単な説明】
【００１１】
【図１】一実施の形態に係るＰＤＰの分解斜視図である。
【図２】一実施の形態に係るＰＤＰにおける前面基板と背面基板との封着の状態を模式的に示す平面図である。
【図３】一実施の形態に係るＰＤＰの電極配列を概略的に示す図である。
【図４】一実施の形態に係るＰＤＰを用いたＰＤＰ装置の全体構成を示す図である。
【図５】一実施の形態に係るＰＤＰが備える背面基板における、封着部の構造を概略的に示す平面図である。
【図６】一実施の形態に係るＰＤＰが備える電極の屈曲部と封着層との状態を示す平面図である。
【図７】一実施の形態に係るＰＤＰが備える電極の屈曲部を含む断面図である。
【図８】他の実施の形態に係るＰＤＰが備える電極の屈曲部と封着層との状態を模式的に示す平面図ある。
【図９】ＰＤＰが備える電極と電極端子部とを概略的に示す平面図である。
【図１０】従来技術にかかるＰＤＰにおいて電極の屈曲部を樹脂で覆う場合の断面図である。
【発明を実施するための形態】
【００１２】
以下、本発明の実施の形態について、図面を参照しながら詳細に説明するが、本発明の実施形態はこれに限定されるものではない。
図１は、本発明の一実施形態に係る、パネルの一例であるＰＤＰの分解斜視図である。ＰＤＰ１０は、前面基板２０と背面基板３０とを対向配置して、その間に多数の放電セルを形成するように構成されている。
【００１３】
前面基板２０におけるガラス製の前面パネル基板２１上には表示電極対を構成する走査電極２２と維持電極２３とが、互いに平行に対をなして複数形成されている。そして、走査電極２２及び維持電極２３を覆うように誘電体層２４が形成され、誘電体層２４上には保護層２５が形成されている。このようにして前面基板２０が構成される。
また、背面基板３０におけるガラス製の背面パネル基板３１上には、絶縁体層３３で覆われた複数のアドレス電極３２が設けられ、さらに、絶縁体層３３上に井桁状の隔壁３４が設けられている。また、絶縁体層３３の表面及び隔壁３４の側面に蛍光体層３５が設けられている。このようにして背面基板３０が構成される。
各電極（走査電極２２、維持電極２３、アドレス電極３２）は、ライン状の電極であって、ガラス材料を含む材料、例えば銀ペーストを塗布し焼成することによって形成されている。
【００１４】
そして走査電極２２及び維持電極２３とアドレス電極３２とが交差するように前面基板２０と背面基板３０とは対向配置され、図２に模式的に平面図で示すように、周辺部において封着層５０により気密に接合されている。
上記封着層５０は、低融点ガラスを用いて形成することができる。すなわち、低融点ガラスを含むペーストを、前面基板２０の外周部または背面基板３０の外周部に塗布し、仮焼成して低融点ガラス層を形成した後、前面基板２０と背面基板３０とを、低融点ガラス層を介して重ね合わせ、焼成して低融点ガラスを溶融させることによって、封着層５０が形成され、この封着層５０によって前面基板２０と背面基板３０との間の空間が外部空間から封止される。
ここで、各電極は、画像表示領域からパネル外周部に亘（わた）って配設されている。すなわち、各電極の引き出し線が、封着層５０を横切って封着層５０の外に延出されているが、各電極にもガラス成分が含まれているので、封着層５０と各電極との間には良好な密着性が確保される。
【００１５】
前面基板２０と背面基板３０との間の内部空間には、放電ガスとして、例えばネオンとキセノンの混合ガスが封入されている。
このＰＤＰ１０において、走査電極２２・維持電極２３とアドレス電極３２とが交差するそれぞれの位置に放電セルが形成されている。
なお、ＰＤＰ１０の構造は上述したものに限られるわけではなく、例えば井桁状の隔壁３４のかわりにストライプ状の隔壁を備えたものであってもよい。
このようにして、実施の形態にかかるＰＤＰ１０が構成される。
【００１６】
図３は、ＰＤＰ１０における電極配列を概略的に示した図である。行方向にｎ本の走査電極ＳＣＮ１〜ＳＣＮｎ（図３の走査電極２２）及びｎ本の維持電極ＳＵＳ１〜ＳＵＳｎ（図３の維持電極２３）が配列され、列方向にｍ本のアドレス電極ＤＤ１〜ＤＤｍ（図３のアドレス電極３２）が配列されている。また、走査電極ＳＣＮ１〜ＳＣＮｎ及び維持電極ＳＵＳ１〜ＳＵＳｎは、それぞれが所定の幅及び間隔で配列されているとともに、アドレス電極ＤＤ１〜ＤＤｍもそれぞれが所定の幅及び間隔で配列されている。
そして、一対の走査電極ＳＣＮｉ及び維持電極ＳＵＳｉ（ｉ＝１〜ｎ）と一つのアドレス電極ＤＤｊ（ｊ＝１〜ｍ）とが交差した部分に放電セルが形成される。すなわち、放電空間内には放電セルがｍ×ｎ個形成されている。また放電セルは、ＲＧＢ３原色のいずれかの色に対応しており、隣接する赤色の放電セルと緑色の放電セルと青色の放電セルとにより一つの画素が構成される。
図４は、ＰＤＰ１０を用いたＰＤＰ装置の全体構成を示す図である。図４において、ＰＤＰ１０を収容する筐体は、前面枠１２と金属製などのバックカバー１３とで構成され、前面枠１２の開口部には光学フィルター及びパネル１０の保護を兼ねたガラスなどからなる前面カバー１４が配置されている。 
【００１７】
ＰＤＰ１０は、アルミニウムなどからなるシャーシ部材１５の前面に熱伝導シート１６を介して接着することにより保持される。そして、シャーシ部材１５の後面側には、ＰＤＰ１０を表示駆動させるため駆動回路基板を含む複数の回路基板１７が取り付けられている。
熱伝導シート１６は、ＰＤＰ１０で発生した熱をシャーシ部材１５に効率よく伝え、放熱を行う。また、回路基板１７はパネル１０を表示駆動するための駆動回路やその制御などを行うための電気回路を備えている。さらに、駆動回路基板とＰＤＰ１０とは、シャーシ部材１５の四辺の周辺部を越えて延びる複数の上述したようなフレキシブル配線板（図示せず）によって接続される。 
【００１８】
回路基板１７においては、ＰＤＰ１０の各電極を駆動するため、走査電極２２を駆動するための走査電極駆動回路、維持電極２３を駆動するための維持電極駆動回路及びアドレス電極３２を駆動するためのアドレス電極駆動回路を実装した駆動回路基板が具備されている。また、フレキシブル配線板は、ＰＤＰ１０の例えば短辺側となる左右周辺部に引き出された走査電極ＳＣＮ１〜ＳＣＮｎ及び維持電極ＳＵＳ１〜ＳＵＳｎの電極引き出し端子で構成される電極端子部と、走査電極駆動回路及び維持電極駆動回路に設けられた端子部とを接続する。
さらに、フレキシブル配線板は、ＰＤＰ１０の例えば長辺側となる上下周辺部に引き出されたアドレス電極ＤＤ１〜ＤＤｍの電極引き出し端子で構成される電極端子部とアドレス電極駆動回路に設けられた端子部とを接続する。このとき、フレキシブル配線板は、ＰＤＰ１０の外周部を通して、前面側より背面側に１８０度湾曲させ、引き回して配置する。
【００１９】
また、シャーシ部材１５の後面には、回路基板１７を取り付けたり、バックカバー１３を固定したりするためのボス部１５ａがダイカストなどによる一体成型により突設されている。なお、このシャーシ部材１５は、アルミニウム平板に固定ピンを固定して構成してもよい。
次に、ＰＤＰ１０における、封着層５０による封着部の構造を背面基板３０の構成とともにさら詳細に説明する。
【００２０】
図５は、ＰＤＰ１０が備える背面基板３０の構造を概略的に示す平面図である。
図５に示すように、各アドレス電極３２は、引き出し電極５１によって背面基板３０の周辺部にまで引き出される。
背面基板３０に設けられている複数のアドレス電極３２は、引き出し電極５１の配設ピッチが外側で広がっている。すなわち、パネル中央部における配設ピッチと比べて、引き出し電極５１の屈曲部５１ａより外側部分における配設ピッチが大きくなっている。
そして背面基板３０の周辺部において、各引き出し電極５１の端部が、ＦＰＣ（Ｆｌｅｘｉｂｌｅ  Ｐｒｉｎｔｅｄ  Ｃｉｒｃｕｉｔｓ：フレキシブルプリント基板）と、電気的に接続するための電極端子部４２となっている。
【００２１】
以上の構成により、回路基板からの駆動電圧を、ＦＰＣを介してアドレス電極３２に印加することができる。
ここで、図５に示すように、画像表示領域におけるアドレス３２の配列ピッチとＦＰＣ（図示せず）の配列ピッチとが異なるため、画像表示領域におけるアドレス電極３２の配列ピッチと引き出し電極５１の端部である電極端子部４２との配列ピッチとが異なり、各引き出し電極５１は屈曲部５１a，５１ｂを有する構成となっている。ただし、すべての引き出し電極５１が屈曲部５１a，５１ｂを有する必要はなく、図５に示す例においても、屈曲部５１a，５１ｂを有さない引き出し電極５１が存在している。
【００２２】
画像表示領域４１におけるアドレス電極３２の配列ピッチに比べて、電極端子部４２の配列ピッチが広い場合と狭い場合とがあるが、具体的に図５に示す例では、パネルの解像度が高く、画像表示領域４１におけるアドレス電極３２の配設ピッチの方が、電極端子部４２の配設ピッチと比べて狭く密になっている。
このように電極端子部４２の配設ピッチが画像表示領域４１におけるアドレス電極３２の配設ピッチよりも広がっているため、所定のグループ（群）毎に電極端子部４２を設ける位置を、上・下・上・下と繰り返した千鳥配列とした構造としている
すなわち、図５に示すように、第１電極群と第２電極群とが交互に配列されており、第１電極群に属する各アドレス電極３２は、下方端部に引き出し電極５１及び屈曲部５１ａ，５１ｂが形成され、第２電極群に属する各アドレス電極３２は、上方端部に引き出し電極５１及び屈曲部５１ａ，５１ｂが形成されている。
このように、下方端部に引き出し電極５１を有する第１電極群と、上方端部に引き出し電極５１を有する第２電極群とが、交互に配設され、第１電極群は下方でＦＰＣに接続され、第２電極群は上方でＦＰＣに接続されているので、引き出し電極５１の配設ピッチが外側で大きくなっているにも関わらず、引き出し電極５１及び電極端子部４２は背面基板３０の周辺部に互いに重なることなく配設することができ、ＦＰＣを容易に接続することともできる。
【００２３】
＜封着層５０の形成位置について＞
封着層５０は、引き出し電極５１の隣接する電極線の配設ピッチが最も狭くなっている箇所における屈曲部である、屈曲部５１ａを覆って配設されている。
図６は、図５に示す１つの電極群について、引き出し電極５１の部分を拡大した図である。また図７は、引き出し電極５１における屈曲部５１ａの部分を封着層５０と共に切断した断面を模式的に示す断面図である。
【００２４】
このように、封着層５０を、屈曲部５１ａを覆って配設することによって、隣接する、電極線の引き出し電極５１の間で絶縁不良が発生するのを抑えることができる。
なお、上記図５、６に示す例では、画像表示領域４１におけるアドレス電極３２の配設ピッチよりも、電極端子部４２の配設ピッチのほうが広くなっていた。しかし、図８に示すように、画像表示領域４１におけるアドレス電極３２の配設ピッチより電極端子部４２の配設ピッチの方が密である場合も、封着層５０を配設する位置は同様であって、引き出し電極５１の屈曲部５１ａ，５１ｂの中で、最も配設ピッチが狭い屈曲部５１ｂを覆うように封着層５０を配設すればよい。
【００２５】
このように、引き出し電極５１の屈曲部５１ａ，５１ｂの中で、最も配設ピッチが狭いところを覆うように封着層５０を配設することによって、アドレス電極３２間の絶縁不良を抑えることができる。この点に関して、本願発明者らが行った検討内容と得られた知見を、図６〜１０を参照しながら述べる。
今回問題にしている絶縁不良は、電極のマイグレーション現象によるものであり、このマイグレーションは、電界強度が強いほど発生しやすいことが知られている。
もともと、図７の屈曲部５１ａ（あるいは図８の屈曲部５１ｂ）は、配設ピッチが最も狭くなっている上、屈曲している。すなわち尖（とが）った形状を有する。したがって、隣接する電極３２の間で電圧差が生じるように電圧が印加された場合、屈曲部５１ａ（あるいは屈曲部５１ｂ）の尖（とが）った部分に他の部分と比べて強い電界がかかるので、この部分はマイグレーションが発生しやすい場所であるが、この屈曲部５１ａの表面近くに水分などの電解質が存在すると、マイグレーションが発生しやすくなる。
【００２６】
しかし、本実施形態では、上記図７に示すように、屈曲部５１ａ（あるいは屈曲部５１ｂ）が、封着層５０によって覆われた構造であり、引き出し電極５１の屈曲部５１ａ，５１ｂ及び封着層５０は共にガラス材料で形成されているので、屈曲部５１ａ（あるいは屈曲部５１ｂ）と封着層５０との界面の密着性が良好に確保される。したがって、マイグレーションの発生を抑制することができる。
【００２７】
一方、比較例として、引き出し電極の配設ピッチが最も狭い屈曲部が封着層で覆われていない場合を考察する。
図９に示す例では、電極１３２の画像表示領域における配列ピッチよりも、引き出し電極１５１の端部である電極端子部１４２の配列ピッチが狭くなっており、封着層１５０は、屈曲部１５１ａと屈曲部１５１ｂとの間で引き出し電極１５１を横切っている。
この場合、配設ピッチが最も狭くなっている屈曲部１５１ｂは封着層１５０よりも外側にあり、通常のＰＤＰでは、封着層１５０の外側は樹脂層で被覆されている。
【００２８】
図１０は、上記比較例に係る、ＰＤＰの引き出し電極における最も配設ピッチが狭い屈曲部１５１ｂが、樹脂層１６０（例えば、ＵＶ硬化樹脂、Ｓｉ樹脂など）で覆われた場合の断面図を示している。
引き出し電極の屈曲部１５１ｂ及び基板３１は、基本的にガラス材料で形成されているので、それを樹脂層１６０で覆うと、樹脂層１６０と基板３１との界面、並びに樹脂層１６０と屈曲部１５１ｂとの界面に、このような微視的な隙間１６１が形成されてしまう。
また、経時的に熱膨張係数の差などにより隙間１６１は拡大する。このような隙間１６１があると、界面に水分などの電解質がたまり、電極金属のイオン化、イオンの移動、イオンの析出により、金属が移動し始め、マイグレーションと呼ばれる現象が発生する。
なお、以上の説明はＰＤＰのアドレス電極を例に説明したが、特にアドレス電極に限るものではなく、走査電極や維持電極に対しても、また、ＰＤＰに限るものでもなく、隣接して配設される構造の電極を備える薄型ディスプレイパネルに対して適用しても同様の効果を得ることができる。
ただし、ＰＤＰにおいては、電極に銀電極を用いる場合が多く、この銀電極はもっともマイグレーションが起きやすい金属として知られているので、特にＰＤＰでは問題である。
さらに、ＰＤＰは放電を利用するため各電極への印加電圧が大きく、これもＰＤＰで特にマイグレーションが起きやすい原因である。特に、4K2Kのように隣接電極間隔が縮小すると、さらにマイグレーションが起こりやすくなる。
また、ＰＤＰの電極の中でも特に背面板のアドレス電極でマイグレーションが起こりやすいが、これは、隣接電極間において電位差ができる時間が、前面板電極に比べ長いためである。
【００２９】
したがって、本実形態で説明した内容は、ＰＤＰのアドレス電極に適用することが特に有効である。
以上述べたように、本発明の一実施の形態によるパネルによれば、パネルの電極引き出し線間での絶縁不良の発生が抑制されるので、もって良好な画像表示が可能なパネルを実現することができる。
【産業上の利用可能性】
【００３０】
以上のように本発明は、大画面、高精細の表示パネルを提供する上で有用な発明である。
【符号の説明】
【００３１】
１０  ＰＤＰ（パネル） 
２０  前面基板 
２１  前面パネル基板 
２２  走査電極 
２３  維持電極 
２４  誘電体層 
２５  保護層 
３０  背面基板 
３１  背面パネル基板 
３２  アドレス電極 
３３  誘電体層 
３４  隔壁 
３５  蛍光体層 
４１  画像表示領域 
４２  電極取り出し部
５０  封着層
５１  引き出し電極
５１ａ、５１ｂ  屈曲部
【図１】
2011186205.tif 000003
【図２】
2011186205.tif 000004
【図３】
2011186205.tif 000005
【図４】
2011186205.tif 000006
【図５】
2011186205.tif 000007
【図６】
2011186205.tif 000008
【図７】
2011186205.tif 000009
【図８】
2011186205.tif 000010
【図９】
2011186205.tif 000011
【図１０】
2011186205.tif 000012